(57)【要約】【課題】構造が簡単でコンパクトかつスッキリとしたデザインで雛人形等の飾り付けと収納が容易な雛人形等の収納飾り台を提供すること。【解決手段】本発明の雛人形等の収納飾り台１は、雛人形等Ａを保管する収納箱としての機能と、雛人形等Ａを飾る飾り台としての機能を併せ持つ雛人形等の収納飾り台であって、前面と後面が開口され、上面と左右の側面と下面とが天板１１と左右の側板１３、１５と底板１７とによって閉塞された角筒状の本体部３と、本体部３の開口された前面を閉塞する前面扉５と、本体部３の開口された後面を閉塞する後面扉７と、前面扉５の背面側に一体に設けられる飾り棚ユニット９と、を備え、上記飾り棚ユニット９は、前面扉５を閉めることによって本体部３内に雛人形等Ａの収容空間を確保した状態で収容され、前面扉５を開くことによって天板１１と共に飾り棚として機能するように構成されている。【選択図】  図１
2018068917.tif 000002
【特許請求の範囲】
【請求項１】
雛人形等を保管する収納箱としての機能と、雛人形等を飾る飾り台としての機能を併せ持つ雛人形等の収納飾り台であって、
前面と後面が開口され、上面と左右の側面と下面とが天板と左右の側板と底板とによって閉塞された角筒状の本体部と、
上記本体部の開口された前面を閉塞する前面扉と、
上記本体部の開口された後面を閉塞する後面扉と、
上記前面扉の背面側に一体に設けられる飾り棚ユニットと、を備え、
上記飾り棚ユニットは、上記前面扉を閉めることによって上記本体部内に雛人形等の収容空間を確保した状態で収容され、上記前面扉を開くことによって上記天板と共に飾り棚として機能するように構成されていることを特徴とする雛人形の収納飾り台。
【請求項２】
上記前面扉は、前面扉の下端部と上記本体部の前端部を接続するヒンジによって上記本体部と回動可能な状態で接続されており、上記底板の前端部には上記ヒンジが上記底板の収納面より高くならないようにして隠す段差凹部が設けられていることを特徴とする請求項１記載の雛人形等の収納飾り台。
【請求項３】
上記後面扉は、上記本体部の後端部に設けられる嵌込み溝に嵌まる倹飩式の扉によって構成されており、該後面扉には後面扉の着脱を容易にする指掛け部が設けられていることを特徴とする請求項１または２記載の雛人形等の収納飾り台。
【請求項４】
上記飾り棚ユニットは、上記前面扉の背面に重ね合わせた状態で取り付けられる取付け板と、
上記前面扉を開いた状態で露出する上記本体部の前面開口を閉塞する衝立て状の背面板と、
上記取付け板と背面板とによって形成される内方空間の開口された左右の側面を閉塞する扇形状の二枚の側面板と、を備えていることを特徴とする請求項１〜３のいずれかに記載の雛人形等の収納飾り台。
【請求項５】
上記左右の側面板の内面には、上記天板の前方に天板の載置面よりも一段低い位置に棚板を設置する場合に使用する支持部材が設けられており、上記天板と、取付け板と、これらの中間に着脱自在に設けられる棚板と、によって三段の飾り棚が形成されるように構成されていることを特徴とする請求項４記載の雛人形等の収納飾り台。
【請求項６】
上記取付け板と背面板と左右二枚の側面板とによって形成される内方空間には、上記天板の載置面よりも一段低い位置に載置面を有する載置台が一体に設けられており、上記天板と載置台とによって二段の飾り棚が形成されるように構成されていることを特徴とする請求項４記載の雛人形等の収納飾り台。
【請求項７】
上記本体部と前面扉と後面扉と飾り棚ユニットの表面に露出する部分には、化粧加工が施されていることを特徴とする請求項１〜６のいずれかに記載の雛人形等の収納飾り台。
【発明の詳細な説明】
【技術分野】
【０００１】
本発明は、雛人形等の保管時には雛人形等を収納する収納箱として使用でき、雛人形等の使用時には雛人形等を飾る飾り台として使用することができる雛人形等の収納飾り台に関するものである。
【背景技術】
【０００２】
下記の特許文献１〜３に示すように、雛人形等の出し入れを容易にし、雛人形等のコンパクトな収納スペースを確保する目的で、雛人形等を収納する収納箱に雛人形等を飾る飾り台としての機能を付加した構成の雛人形等の収納飾り台が従来から種々提案されている。
このうち特許文献１では、収納箱の前面と天面を上下に回動させることによって雛人形等を飾る飾り台として使用することができる人形箱が開示されており、該人形箱の内部には、人形箱に固定される上段の棚と、前後スライド式の中段及び下段の棚とが備えられている構成のものが提案されている。
【０００３】
また、特許文献２では、角箱を二段重ねした収納箱の上部の角箱における前面と天面を上下に回動させるだけの簡単な操作で飾り台として使用できるようにしたシンプルな構成の飾り台が提案されている。
更に特許文献３では、収納箱の前面上部に左右に開閉できる観音開き式の扉を備え、収納箱の前面下部に下縁を支点に上下に開閉できる別の扉を備え、収納箱の内部に折り畳み構造の支持枠と、該支持枠によって支持される着脱式の一段目から三段目の棚板と、前後スライド式の四段目の棚板と、収納箱に固定される五段目の棚板と、を備える五段飾りの豪華な節句用雛飾具が開示されている。
【先行技術文献】
【特許文献】
【０００４】
【特許文献１】特開２００１−３８０６０号公報
【特許文献２】実用新案登録第３１６５３８８号公報
【特許文献３】実開昭６０−５０８７８号公報
【発明の概要】
【発明が解決しようとする課題】
【０００５】
しかし、上記特許文献１、３に開示されている人形箱と節句用雛飾具はいずれも部品点数が多く、構造が複雑で大型になり設置スペースの確保が難しく雛人形等の出し入れに手間と時間と労力が掛かる点で難がある。
また、特許文献２に開示されている飾り台は、構造が簡単で扉の開閉操作が比較的簡単であるが、飾り台として使用した時の美感等の点で難がある。
【０００６】
本発明はこのような点に基づいてなされたもので、その目的とするところは、構造が簡単でコンパクトかつスッキリとしたデザインの美感性に優れたものであり、雛人形等の出し入れの際に手間と時間と労力が掛からないようにすることができる雛人形等の収納飾り台を提供することにある。
【課題を解決するための手段】
【０００７】
上記目的を達すべく本発明の請求項１による雛人形等の収納飾り台は、雛人形等を保管する収納箱としての機能と、雛人形等を飾る飾り台としての機能を併せ持つ雛人形等の収納飾り台であって、前面と後面が開口され、上面と左右の側面と下面とが天板と左右の側板と底板とによって閉塞された角筒状の本体部と、上記本体部の開口された前面を閉塞する前面扉と、上記本体部の開口された後面を閉塞する後面扉と、上記前面扉の背面側に一体に設けられる飾り棚ユニットと、を備え、上記飾り棚ユニットは、上記前面扉を閉めることによって上記本体部内に雛人形等の収容空間を確保した状態で収容され、上記前面扉を開くことによって上記天板と共に飾り棚として機能するように構成されていることを特徴とするものである。
【０００８】
また、請求項２による雛人形等の収納飾り台は、請求項１記載の雛人形等の収納飾り台において、上記前面扉は、前面扉の下端部と上記本体部の前端部を接続するヒンジによって上記本体部と回動可能な状態で接続されており、上記底板の前端部には上記ヒンジが上記底板の収納面より高くならないようにして隠す段差凹部が設けられていることを特徴とするものである。
【０００９】
また、請求項３による雛人形等の収納飾り台は、請求項１または２記載の雛人形等の収納飾り台において、上記後面扉は、上記本体部の後端部に設けられる嵌込み溝に嵌まる倹飩式の扉によって構成されており、該後面扉には後面扉の着脱を容易にする指掛け部が設けられていることを特徴とするものである。
【００１０】
また、請求項４による雛人形等の収納飾り台は、請求項１〜３のいずれかに記載の雛人形等の収納飾り台において、上記飾り棚ユニットは、上記前面扉の背面に重ね合わせた状態で取り付けられる取付け板と、上記前面扉を開いた状態で露出する上記本体部の前面開口を閉塞する衝立て状の背面板と、上記取付け板と背面板とによって形成される内方空間の開口された左右の側面を閉塞する扇形状の二枚の側面板と、を備えていることを特徴とするものである。
【００１１】
また、請求項５による雛人形等の収納飾り台は、請求項４記載の雛人形等の収納飾り台において、上記左右の側面板の内面には、上記天板の前方に天板の載置面よりも一段低い位置に棚板を設置する場合に使用する支持部材が設けられており、上記天板と、取付け板と、これらの中間に着脱自在に設けられる棚板と、によって三段の飾り棚が形成されるように構成されていることを特徴とするものである。
【００１２】
また、請求項６による雛人形等の収納飾り台は、請求項４記載の雛人形等の収納飾り台において、上記取付け板と背面板と左右二枚の側面板とによって形成される内方空間には、上記天板の載置面よりも一段低い位置に載置面を有する載置台が一体に設けられており、上記天板と載置台とによって二段の飾り棚が形成されるように構成されていることを特徴とするものである。
【００１３】
また、請求項７による雛人形等の収納飾り台は、請求項１〜６のいずれかに記載の雛人形等の収納飾り台において、上記本体部と前面扉と後面扉と飾り棚ユニットの表面に露出する部分には、化粧加工が施されていることを特徴とするものである。
【発明の効果】
【００１４】
そして、上記手段によって以下のような効果が得られる。即ち、本発明の雛人形等の収納飾り台によると、雛人形等を保管する収納箱としての機能と、雛人形等を飾る飾り台としての機能を併せ持っているから、雛人形等を使用しない場合には本発明の雛人形等の収納飾り台を収納箱として使用して該収納箱内に雛人形等を収納してコンパクトに収納することができる。また、雛人形等を使用する場合には本発明の雛人形等の収納飾り台を飾り台として使用して該飾り台に雛人形等を並べて載置することで豪華な飾り付けを行うことができる。
また、本発明では本体部と前面扉と後面扉と飾り棚ユニットのみを備える部品点数が少なく構造が簡単でコンパクトなスッキリとしたデザインが採用されているから狭い設置スペースでも見映え良く短時間で雛人形等を設置し、簡単な操作で短時間で雛人形等を収納することができる。
【００１５】
また、前面扉の下端部と本体部の前端部をヒンジによって回動可能な状態で接続した場合には、前面扉の背面に取り付けた飾り棚ユニットの荷重の作用で前面扉の開閉角度に応じて前面扉の開閉を助ける方向に力が作用するため前面扉の開閉操作が容易になる。
また、底板の前端部にヒンジが底板の収納面より高くならないようにして隠す段差凹部を設けた場合には、後面扉を開いて本体部の後面を開口させた状態でも外部からヒンジが見えないため美感が向上する。また、前面扉を閉めた時に飾り棚ユニットの一部がヒンジに当たって飾り棚ユニットを傷付けるおそれも低減される。
【００１６】
また、後面扉を倹飩式にして後面扉に指掛け部を設けた場合には、使用者は指掛け部に指を掛けて後面扉を少し持ち上げるだけの簡単な操作で後面扉を本体部から取り外すことができ、後面扉を取り外すことによって本体部の後面開口が広く開口されるから本体部からの雛人形等の出し入れ作業が容易になる。
【００１７】
また、飾り棚ユニットを前面扉の背面に重ね合わせた状態で取り付けられる取付け板と、前面扉を開いた状態で露出する本体部の前面開口を閉塞する衝立て状の背面板と、これらの内方空間の開口された左右の側面を閉塞する扇形状の二枚の側面板と、を備えることによって構成した場合には、本体部に対する前面扉の開閉を可能にした状態で、雛人形等の使用時には上記内方空間を雛人形等の載置スペースの一部として利用し、雛人形等の保管時には上記内方空間を雛人形等の収納スペースの一部として利用することが可能になる。
【００１８】
また、左右の側面板の内面に対して、天板の前方に天板の載置面よりも一段低い位置に棚板を設置する場合に使用する支持部材を設け、天板と、取付け板と、これらの中間に着脱自在に設けられる棚板と、によって三段の飾り棚を形成するように構成した場合には、天板、取付け板、中間の棚板のそれぞれの上面を載置面として利用して豪華な三段飾りに対応した雛人形等の収納飾り台を提供することができる。
また、飾る雛人形等の数や大きさ等に応じて上記棚板を選択的に使用することができるから、飾る雛人形等の数が少ない場合や取付け板上に飾る雛人形が大きい場合には、棚板を支持部材から取り出して二段飾りの雛人形等の収納飾り台として使用することも可能である。
【００１９】
また、取付け板と背面板と左右二枚の側面板とによって形成される内方空間に、天板の載置面よりも一段低い位置に載置面を有する載置台を一体に設け、上記天板と載置台とにより二段の飾り棚が形成されるように構成した場合には、前面扉を開くだけの簡単な操作で使用できる使い勝手の良い、二段飾りに対応した雛人形等の収納飾り台を提供することができる。
また、本体部と前面扉と後面扉と飾り棚ユニットの表面に露出する部分に化粧加工を施した場合には、雛人形等の使用時に毛せん等を使用しないで、そのままの状態で雛人形等を飾ることができ、雛人形等の保管時に室内の見える場所に置いても室内の美感を損ねることもない。
【図面の簡単な説明】
【００２０】
【図１】本発明の第１の実施の形態を示す図で、雛人形等を載置した使用状態を示す斜め前方からの斜視図である。
【図２】本発明の第１の実施の形態を示す図で、前面扉を開いた状態で斜め前方からの斜視図である。
【図３】本発明の第１の実施の形態を示す図で、後面扉を取り外した状態の斜め後方からの斜視図である。
【図４】本発明の第１の実施の形態を示す図で、雛人形等を収納した保管状態を示す斜め前方からの斜視図である。
【図５】本発明の第１の実施の形態を示す図で、前面扉を開いた使用状態を示す正面図である。
【図６】本発明の第１の実施の形態を示す図で、前面扉を開いた使用状態を示す側断面図である。
【図７】本発明の第２の実施の形態を示す図で、前面扉を開いた使用状態を示す斜め前方からの斜視図である。
【発明を実施するための形態】
【００２１】
以下、図１〜図６に示す第１の実施の形態と、図７に示す第２の実施の形態の二つの実施の形態を例にとって、本発明の雛人形等の収納飾り台の構成及び作用と、本発明の雛人形等の収納飾り台を使用した雛人形等の飾り付けの手順と収納の手順を具体的に説明する。
尚、以下の説明では、図１〜図６に示す第１の実施の形態に係る雛人形等の収納飾り台１Ａについて、その具体的構成及びその作用について詳細に説明し、続いて当該雛人形等の収納飾り台１を使用した雛人形等の飾り付けの手順と収納の手順を説明する。次に、図７に示す第２の実施の形態に係る雛人形等の収納飾り台１Ｂの構成及び作用を上記第１の実施の形態との差異を中心に説明し、最後にこれらの実施の形態と部分的構成を異にする雛人形等の収納飾り台１の他の実施の形態の構成を説明する。
【００２２】
〔第１の実施の形態〕（図１〜図６参照）
（１）雛人形等の収納飾り台の構成及び作用
本発明の雛人形等の収納飾り台１は、雛人形等Ａを保管する収納箱としての機能と、雛人形等Ａを飾る飾り台としての機能を併せ持つ雛人形等の収納飾り台である。
ここで本明細書において使用する雛人形等Ａとは、人形とその付属品からなる人形セットであり、例えば、三月の雛祭りで飾る雄雛、雌雛、三人官女、その他の雛具の他、五月の端午の節句で飾る人形、兜、弓、刀等の飾りも含まれる。
【００２３】
そして、本発明の雛人形等の収納飾り台１は、本体部３と、前面扉５と、後面扉７と、飾り棚ユニット９と、を備えることによって基本的に構成されており、上記飾り棚ユニット９は、前面扉５を閉めることによって本体部３内に雛人形等Ａの収容空間を確保した状態で収容され、前面扉５を開くことによって本体部３の構成部材である天板１１と共に飾り棚として機能するように構成されている。
【００２４】
また、本実施の形態による雛人形等の収納飾り台１Ａでは、上記本体部３は、前面と後面が開口され、上面と左右の側面と下面とが天板１１と左右の側板１３、１５と底板１７とによって閉塞された角筒状の部材によって構成されている。
また、前面扉５は上記本体部３の開口された前面を閉塞する幾分肉厚で上記前面開口よりも天板１１、左右の側板１３、１５及び底板１７の板厚以上に大きな矩形平板状の部材によって構成されており、該前面扉５の下端部が飾り棚ユニット９Ａを介して後述するヒンジ１９によって上記底板１７の前端部と回動可能な状態で接続されている。
また、上記底板１７の前端部には上記ヒンジ１９が底板１７の上面の収納面１７ａより高くならないようにして隠す段差凹部２１が設けられており、雛人形等Ａを収納するときのヒンジ１９に対する上記飾り棚ユニット９Ａの当接の防止と、美感の向上と、が図られている。
【００２５】
また、後面扉７は上記本体部３の開口された後面を閉塞する上記前面扉５よりも肉薄で後面開口とほぼ同じ大きさの矩形平板状の部材によって構成されており、該後面扉７の一例として中央の上方寄りの位置には一例として円形の穴部が形成されており、この穴部が後面扉７の着脱を容易にする指掛け部２３になっている。
また、本体部３の後端部の天板１１、左右の側板１３、１５、底板１７の内壁面には、上記後面扉７の肉厚よりも溝幅の大きな所定深さの角溝状の嵌込み溝２５が後面開口の周囲を囲むように形成されている。そして、上記後面扉７の幅寸法と高さ寸法は、上記嵌込み溝２５に嵌まる倹飩式の扉として機能するよう後面開口より幾分大きな所定の寸法に設定されている。
【００２６】
また、飾り棚ユニット９は、上記前面扉５の背面側に一体に設けられる支持枠部材であり、本実施の形態の飾り棚ユニット９Ａは上記前面扉５の背面に重ね合わせた状態で取り付けられる取付け板２７と、上記前面扉５を開いた状態で露出する上記本体部３の前面開口を閉塞する衝立て状の背面板２９と、上記取付け板２７と背面板２９とによって形成される内方空間Ｓの開口された左右の側面を閉塞する扇形状の二枚の側面板３１、３３と、を備えることによって一例として構成されている。
そして、このうち取付け板２７と背面板２９は本体部３の前面開口と後面開口に嵌るように、これらの開口より幾分小さめに形成されており、上記二枚の側面板３１、３３は、本実施の形態では縁部の形状が二つの円弧を重ね合わせたような形状の扇形の板材によって一例として形成されている。
【００２７】
更に、本実施の形態では、上記左右の側面板３１、３３の内面に棚板３５を設置する場合に使用する一例として角棒状の支持部材３７、３９が内側に張り出して前後方向に水平に延びるように設けられている。そして、当該支持部材３７、３９の取付け高さは、上記棚板３５の上面の載置面３５ａの高さが上記天板１１の上面の載置面１１ａの高さよりも一段低く、上記取付け板２７の上面の載置面２７ａの高さよりも一段高くなる高さに設定されている。
また、上記棚板３５の載置面３５ａの前後方向の位置は、上記天板１１の載置面１１ａよりも前方で、上記取付け板２７の載置面２７ａよりも後方の位置に設定されており、上記天板１１と、取付け板２７と、これらの中間に着脱可能に設けられる棚板３５と、によって三段の飾り棚が形成されるように構成されている。
【００２８】
ヒンジ１９は、本実施形態では一例として蝶番式のヒンジが使用されており、ヒンジ１９の一方の翼片は本体部３の底板１７における前端部に形成されている上述した段差凹部２１の底面にビス止めされている。
また、ヒンジ１９の他方の翼片は上述した飾り棚ユニット９Ａの取付け板２７における下端部の上記前面扉５との取付け面に形成されている段差凹部２７ｂの底面（図６では上面）にビス止めされている。従って、上記前面扉５は、該前面扉５に一体に取り付けられている飾り棚ユニット９Ａにおける取付け板２７を介してヒンジ１９によって回動可能な状態で本体部３の底板１７と接続されている。
【００２９】
このようにして構成される本体部３と前面扉５と後面扉７と飾り棚ユニット９Ａは一例として木製で、これらの表面は滑らかに加工されていて当該表面の露出する部分には塗装や絵付け、模様付け、凹凸加工等の化粧加工が施されている。
また、上記ヒンジ１９は、一例として金属製で後面扉７を取り外して本体部３の後面開口から本体部３の内部を覗いた状態でもほとんど目立たない大きさと色味のものが使用されている。
【００３０】
そして、このようにして構成される本実施の形態に係る雛人形等の収納飾り台１Ａによれば、構造が簡単でコンパクトかつスッキリとしたデザインの美感性に優れる雛人形等の収納飾り台が提供できるようになり、雛人形等Ａの出し入れの際も手間と時間と労力が掛からない。また、表面には化粧加工が施されているから、毛せん等の布を被せて使用する必要もない。
【００３１】
（２）雛人形等の飾り付けと収納の手順
（Ａ）雛人形等の飾り付けの手順
本実施の形態に係る雛人形等の収納飾り台１Ａを使用して雛人形等Ａを飾り付けする場合には、最初に図４に示す保管状態の雛人形等の収納飾り台１Ａに対して、本体部３の後面開口を閉塞している倹飩式の後面扉７の指掛け部２３に指を掛け、後面扉７を上方に持ち上げながら手前に引くようにして後面扉７を図３に示すように取り外す。
次に、本体部３の内部に収納されている雛人形等Ａと棚板３５を本体部３の後面開口から外部に取り出す。続いて、前面扉５の縁部に指を掛けて手前に倒すようにして前面扉５を回動させて前面扉５を徐々に開いて行く。
【００３２】
この際、前面扉５の開閉角度が所定の角度に至ると、飾り棚ユニット９Ａの荷重が前面扉５を拡開する方向に作用するようになり、以降は飾り棚ユニット９Ａの荷重も加わって比較的小さな力で前面扉５を拡開できるようになる。
前面扉５を一杯に開くと、前面扉５の前面が設置面Ｇに当接し、背面板２９が本体部３の前面開口を塞いだ状態になる。
【００３３】
そして、本体部３内から取り出した棚板３５を図５に示すように左右の支持部材３７、３９の上に架け渡すように設置すれば飾り台が完成する。また、先に取り外した後面扉７の指掛け部２３に指を掛け、斜め上方から落とし込むようにして再び後面扉７を嵌込み溝２５に嵌めて本体部３の後面開口を閉塞しておく。
次に、図１に示すように雛人形等Ａを天板１１の載置面１１ａ、棚板３５の載置面３５ａまたは取付け板２７の載置面２７ａに対して並べて載置し、必要に応じて屏風Ｂや衝立て、親王台Ｃ等を設置して飾り付けを行う。
【００３４】
（Ｂ）雛人形等の収納の手順
上述のように飾り付けた雛人形等Ａを収納する場合には、本実施の形態に係る雛人形等の収納飾り台１Ａを収納箱として使用して雛人形等Ａを収納する。
雛人形等Ａを収納する場合には、上述した飾り付けの場合と逆の手順で行い、最初に飾り付けた雛人形等Ａ、屏風Ｂ、親王台Ｃ等を雛人形等の収納飾り台１Ａから降ろし、棚板３５を支持部材３７、３９から取り外す。
【００３５】
また、後面扉７の指掛け部２３に指を掛けて上述した要領で嵌込み溝２５から取り外して本体部３の後面開口を開放させた状態にする。
次に、前方に水平に倒れた状態の前面扉５の縁に指を掛け徐々に上方に持ち上げて行く。前面扉５の開閉角度が所定の角度に至ると、飾り棚ユニット９Ａの荷重が前面扉５を閉める方向に作用するようになる。これにより以降の前面扉５の回動は、ほとんど力を入れることなく自然に閉塞状態に移行する。
【００３６】
続いて、本体部３の後面開口から雛人形等Ａと棚板３５を本体部３内に入れて収納し、必要に応じて防虫剤等を本体部３内に入れてから後面扉７により再び本体部３の後面開口を閉塞する。
また、上記雛人形等Ａと共に飾り付けた屏風Ｂや衝立て或いは親王台Ｃ等がある場合には、傷が付かないように包装してから専門の別途の収納箱に収納するか、本体部３の収納スペースに余裕がある場合には、上記雛人形等Ａと共に本体部３内にその一部または全部を収納することも可能である。
【００３７】
〔第２の実施の形態〕（図７参照）
第２の実施の形態による雛人形等の収納飾り台１Ｂは、飾り棚ユニット９Ｂの構成が上記第１の実施の形態による雛人形等の収納飾り台１Ａの飾り棚ユニット９Ａの構成と一部相違しているだけで、その他の構成については上記第１の実施の形態と同様である。
従って、ここでは上記第１の実施の形態と同様の構成については説明を省略し、上記第１の実施の形態と相違する飾り棚ユニット９Ｂの構成とその作用を中心に説明する。
【００３８】
即ち、本実施の形態では、飾り棚ユニット９Ｂは、上記第１の実施の形態の飾り棚ユニット９Ａと同様の取付け板２７と背面板２９と左右二枚の側面板３１、３３とを備えており、上記第１の実施の形態の飾り棚ユニット９Ａに設けられていた支持部材３７、３９に代えて載置台４１が設置されている。
具体的には、上記取付け板２７と背面板２９と左右二枚の側面板３１、３３とによって形成される内方空間Ｓの一例として全幅に亘って、上記天板１１の載置面１１ａよりも一段低い位置に載置面４１ａを有する載置台４１が上記取付け板２７と背面板２９と左右二枚の側面板３１、３３と一体に設けられている。
そして、上記天板１１と載置台４１とによって二段の飾り棚が形成されるように構成されている。
【００３９】
このようにして構成される本実施の形態による雛人形等の収納飾り台１Ｂによっても、上述した第１の実施の形態による雛人形等の収納飾り台１Ａと同様の作用、効果が発揮でき、更に本実施の形態にあっては、棚板３５の着脱作業が不要な分、雛人形等Ａの飾り付けと収納が容易になって使い勝手の良い、コンパクトな二段飾り用の雛人形等の収納飾り台１Ｂを提供することが可能になる。
【００４０】
〔他の実施の形態〕
本発明の雛人形等の収納飾り台１は、上述した第１の実施の形態と第２の実施の形態の二つの実施の形態に限定されず、その発明の要旨内での変更が可能である。
例えば、前面扉５の回動支点となるヒンジ１９は、上記第１の実施の形態のように飾り棚ユニット９Ａの取付け板２７を介して前面扉５と本体部３の底板１７との間に設けられる他、上記飾り棚ユニット９Ａを介さないで直接、前面扉５と本体部３との間に設けられるようにすることも可能である。また、ヒンジ１９は図示のような蝶番式のものに限らず、回動ピンと軸受によって構成されるものやリンク機構等によって構成されるもの等、構造の違う他の構成のものであってもよい。また、前面扉５の開閉を容易にするために前面扉５の上縁部と左右の側縁部を、本体部３を構成する天板１１や左右の側板１３、１５の表面よりも幾分外方に張り出すように大きめに形成したり、指を掛ける縁部に引っ掛かりを良くする凹凸加工等を施すことも可能である。
【００４１】
また、後面扉７に対して設けられる指掛け部２３も、図示のような円形の穴部に限らず、角穴状のものや凹陥状のもの或いは凸部によって構成されるものであってもよい。
また、後面扉７は、倹飩式のものに限らず、ヒンジ等により回動可能な扉形式や引き戸形式等、種々の構成の開閉構造が採用可能である。
また、上記第１の実施の形態において採用した棚板３５を支持する支持部材３７、３９も図示のような角棒状のものに限らず、短寸の円柱状のピンを複数本、左右の側面板３１、３３の内側から挿し込んで使用するものや左右の側面板３１、３３の内面側に前後方向に延びる溝を設けて、この溝に棚板３５の左右の側縁を係合させるもの等、種々の構成の支持部材ないし支持構造が採用可能である。
この他、本体部３の底板１７の下面に滑り止め用の受け座を設けたり、前面板５の前面のコーナ部等に同様の受け座を目立たない態様で設けることも可能である。
【産業上の利用可能性】
【００４２】
本発明の雛人形等の収納飾り台は、設置スペースが広く取れない家庭等において雛人形等を飾りたい場合等に利用でき、特に構造が簡単でコンパクトかつスッキリとしたデザインの美感性に優れた雛人形等の収納飾り台を手間と時間と労力を掛けることなく使用したい場合に利用可能性を有する。
【符号の説明】
【００４３】
１  （雛人形等の）収納飾り台
３  本体部
５  前面扉
７  後面扉
９  飾り棚ユニット
１１  天板
１１ａ  載置面
１３  左側板
１５  右側板
１７  底板
１７ａ  収納面
１９  ヒンジ
２１  段差凹部
２３  指掛け部
２５  嵌込み溝
２７  取付け板
２７ａ  載置面
２７ｂ  段差凹部
２９  背面板
３１  側面板
３３  側面板
３５  棚板
３５ａ  載置面
３７  支持部材
３９  支持部材
４１  載置台
４１ａ  載置面
Ａ  雛人形等
Ｓ  内方空間
Ｇ  設置面
Ｂ  屏風
Ｃ  親王台
【図１】
2018068917.tif 000003
【図２】
2018068917.tif 000004
【図３】
2018068917.tif 000005
【図４】
2018068917.tif 000006
【図５】
2018068917.tif 000007
【図６】
2018068917.tif 000008
【図７】
2018068917.tif 000009